(57)【特許請求の範囲】
【請求項１】
透光性板材と、前記透光性板材の表面に沿って原稿を所定速度で搬送する搬送手段と、前記透光性板材の前記原稿が搬送される側に設けられて前記原稿の画像を読み取る第１の画像読取手段と、前記第１の画像読取手段を保持する保持手段と、前記透光性板材の原稿が搬送される側とは反対側に設けられて前記原稿の画像を読み取る第２の画像読取手段とを備え、前記搬送される原稿の両面の画像を読み取る画像読取装置において、
前記第１の画像読取手段は、前記透光性板材の前記原稿が搬送される領域の原稿幅の両外側に当接する突起部を有し、
前記第１の画像読取手段は、回転軸部と、前記回転軸部を支持する２つの回転支持部とを介して前記保持手段に揺動可能に連結され、
前記２つの回転支持部のうち一方の回転支持部は、前記回転軸部が挿通される丸穴の回転支持部であり、他方の回転支持部は、前記回転軸部に引っ掛かるＵ形状の溝の回転支持部であり、
前記第１の画像読取手段が前記原稿の画像を読み取る場合には、前記突起部が前記透光性板材に当接して前記第１の画像読取手段の位置決めをすることを特徴とする画像読取装置。
【請求項２】
請求項１記載の画像読取装置において、
前記第１の画像読取手段に対して揺動可能に取り付けられた案内手段を備え、前記案内手段の一部が前記透光性板材に当接することを特徴とする画像読取装置。
【請求項３】
請求項２記載の画像読取装置において、
前記透光性板材に当接する前記案内手段の一部は、前記原稿が搬送される領域外に当接することを特徴とする画像読取装置。
【発明の詳細な説明】
【０００１】
【発明の属する技術分野】
本発明は、画像を読み取る画像読取装置に関し、特に、所定速度で搬送される原稿上の画像を流し読みする機能を備えた画像読取装置に関する。
【０００２】
【従来の技術】
従来より、画像読取装置に採用されている原稿上の画像を読み取るための方式として、以下の二つの方式がよく知られている。
【０００３】
先ず第一の方式は、原稿台上に原稿を所定の方法でセットし、原稿台ガラス上に固定された原稿を移動可能な光学キャリッジによってスキャンすることで、原稿上の画像を画像読取部にて読み取る原稿固定読み取り方式である。
【０００４】
また、第二の方式は、原稿を所定の搬送スピードで搬送させて、固定の光学キャリッジ部を配置した所定の読取部にて読み取る原稿流し読み取り方式である。
【０００５】
後者の原稿流し読み取り方式は、前者の原稿固定読み取り方式に比較して光学キャリッジを固定でき、毎回光学キャリッジを往復移動する必要がない。このため、装置構成が複雑とならず、また処理の高速化といった点で前者の原稿固定読み取り方式に比べ優位性がある。さらに、複写機等においては、近年のデジタル処理技術の進歩に伴い、同一原稿から複数枚のコピーを形成する場合でも、原稿の読み取りは一回で済むようになった。つまり、一度読み取った画像情報をコンピュータ等の記憶媒体にデジタル情報として一時保存することにより、この記憶された画像情報に基づいて必要な枚数の複写画像を再形成することが容易になったのである。この点でも、流し読み取り方式による画像読み取りの優位性は一層大きくなってきた。
【０００６】
また、原稿がその表裏に画像を含む場合、それら両面の画像を読み取るにあたって操作の便宜や高速化を図るといった観点から、原稿の搬送経路に沿って、二機の光学キャリッジを設け、各光学キャリッジによって原稿のそれぞれの面に含まれる画像を読み取るよう構成された読取装置もある。このような装置構成によれば、所定の経路に沿って搬送される原稿の表裏に含まれる画像をほぼ同時に流し読むができるようになるため、原稿の両面複写における読み取り処理の高速化が図られる。
【０００７】
【発明が解決しようとする課題】
ところで、上記原稿流し読み取り方式を採用する従来の画像読取装置では、以下に挙げる問題がある。
【０００８】
（１）原稿搬送位置に対するキャリッジの位置決めが困難で、画像のピントがボケやすい。すなわち、流し読み取りの原稿搬送パスと、固定の光学キャリッジの位置決めが正確に行えない。
【０００９】
（２）ピントのボケを少なくするために、光学キャリッジの固定態様を極度に高精度としなければならず、調整が難しい上、部品自体やメンテナンスのコストも高くなる。
【００１０】
（３）原稿搬送パスが安定しない。
【００１１】
こうした問題は、光学キャリッジの数に関わらず原稿流し読み取り方式を採用する読取装置に共通したものではあるが、特に二機の光学キャリッジを備える読取装置の場合、各光学キャリッジと原稿とによる三者間の相対位置が正確に保持される必要があるためより深刻なものとなっている。
【００１２】
本発明は、このような実情に鑑みてなされたものであって、その目的とするところは、原稿画像の流し読み取りを行うにあたり、原稿画像と光学キャリッジ部との相対的な位置決めが高い精度で確保される画像読み取り装置を提供することにある。
【００１３】
【課題を解決するための手段】
上記目的を達成するために、本発明は、透光性板材と、前記透光性板材の表面に沿って原稿を所定速度で搬送する搬送手段と、前記透光性板材の前記原稿が搬送される側に設けられて前記原稿の画像を読み取る第１の画像読取手段と、前記第１の画像読取手段を保持する保持手段と、前記透光性板材の原稿が搬送される側とは反対側に設けられて前記原稿の画像を読み取る第２の画像読取手段とを備え、前記搬送される原稿の両面の画像を読み取る画像読取装置において、前記第１の画像読取手段は、前記透光性板材の前記原稿が搬送される領域の原稿幅の両外側に当接する突起部を有し、前記第１の画像読取手段は、回転軸部と、前記回転軸部を支持する２つの回転支持部とを介して前記保持手段に揺動可能に連結され、前記２つの回転支持部のうち一方の回転支持部は、前記回転軸部が挿通される丸穴の回転支持部であり、他方の回転支持部は、前記回転軸部に引っ掛かるＵ形状の溝の回転支持部であり、前記第１の画像読取手段が前記原稿の画像を読み取る場合には、前記突起部が前記透光性板材に当接して前記第１の画像読取手段の位置決めをすることを要旨とする。
【００２０】
【発明の実施の形態】
（参考例）以下、本発明をデジタル複写機の画像読取装置に適用した参考例について、図を参照して説明する。
【００２１】
図１は、本参考例のデジタル複写機に備えられた画像読取機構（画像読取装置）の構造を概略的に示す側断面図である。また図７は、同機構の画像読取部近傍を示す拡大側断面図である。
【００２２】
同図に示すように、画像読取装置１００は、原稿を載置固定してその表面画像を読み取るフラットベッド画像読取部（以下、フラットベッド部という）１と、同フラットベッド部１の上面に取り付けられる自動給紙装置（ＡＤＦ：Auto Document Feeder）２とを備えて構成され、さらに、フラットベッド部１の一部と自動給紙装置２の一部とが複合して流し読取部αを形成している。
【００２３】
フラットベッド部１は、載置固定された原稿の表面画像を読み取る機構であり、その上面に原稿を載置する透光性板材であるところの基準原稿台ガラス（原稿台ガラス）３を備えるとともに、同原稿台ガラスの下部には、原稿の読み取り（スキャン）を行うための第２の画像読取手段であるところの第一の光学キャリッジＡを備える。第一の光学キャリッジＡは、無端状ベルト（駆動ベルト）５に連結され、さらにこの駆動ベルト５は駆動モータ６に連結されている。駆動モータ５の動力が駆動ベルト５を介して第１の光学キャリッジＡに伝達されることにより、第１の光学キャリッジＡは、原稿台ガラス３と平行に移動自在となっている。この第１の光学キャリッジは、原稿台ガラス上に載置固定された原稿上の画像を読み取る機能と、搬送されつつある原稿上の画像を定位置に留まって読み取る機能（流し読取機能）とを兼ね備えている。キャリッジＡの上面に配置されたランプ７は、原稿に光を照射するための光源であり、原稿より反射した反射光は、反射ミラー８と集光レンズ１０とによって、ＣＣＤ（Charge Coupled Device）９に導かれる。ＣＣＤ９は、光に含まれる画像情報を電気信号に変換する周知の光電変換素子である。また、原稿台ガラス３上に設けられた原稿突き当て基準板１１が設けられている。
【００２４】
一方、自動給紙装置２は、その上部に原稿を載置積載するための原稿積載トレー１３を備えている。原稿積載トレイ１３上の原稿は、搬送（給紙）方向の両側部を原稿サイド規制板１２によって規制される。また、周知の原稿有無センサ１５は、そのレバー山により原稿の先端を検知することによって当該原稿の存在を認識する。さらに、これも周知の原稿長さ検知レバー１４が原稿の長さを検知する。また、原稿積載トレイ１３から送り出される原稿の先端を上方から押さえるためのウエイト１６や、原稿の先端が分離給紙部に入り込むのを防ぐための原稿シャッター１７が設けられている。ピックアップローラ１８は、積載原稿を最下位のものから順次繰り出す機能を有する。ピックアップローラ１８によって繰り出された原稿は、下流の給紙ローラ２０により、流し読取部αへと搬送されていくこととなる。また、原稿の搬送経路を挟んで給紙ローラ２０と対向する位置に設けられた分離ベルト１９は、給紙ローラ２０の回転方向とは反対方向に回転駆動され、原稿が一枚づつ確実に送り出されるよう重なった原稿を分離する。レジスト前センサーレバー２１は、原稿の先端を検知して原稿のループ作成のタイミングを計る。レジストローラ対２２は、搬送されてきた原稿を、所定のタイミングでキャリッジＡに送り出す。原稿先端検知レバー２３は、レジストローラ対２２によって送り出された原稿の先端を検知する。案内手段であるところの原稿搬送上ガイド２４は、原稿台ガラス３と対向して設けられ原稿を第一の読取部位２５に案内する。第一の読取部位２５は、原稿台ガラス３と原稿搬送上ガイド２４との間に設けられた所定の間隙である。原稿表面（第一面）に含まれる画像は、当該原稿が第一の読取部位２５を通過する際、定位置に留まっている光学キャリッジＡによって読み取られることとなる。
【００２５】
第１の画像読取手段であるところの第二のキャリッジＢは、第２キャリッジを保持する保持手段であるところの自動給紙装置内において、第一のキャリッジＡと原稿台ガラス３を挟んで対向した位置に設けられている。第二のキャリッジＢ内には前記キャリッジＡと同様の反射ミラー及びＣＣＤが配置されている。このように、第一のキャリッジＡとほぼ同様の構成を備えた第二のキャリッジＢは、原稿の他方の面（第二面）に含まれる画像を第二の読取部位２７にて読み取る。第二の読取部位２７は、原稿台ガラス３に沿った原稿の搬送経路上において、第一の読取部位よりやや下流側に設定されている。
【００２６】
上記第一及び第二の読取部位を通過した後の原稿は、排出ローラ対２８により、フラットベッド部１の機外に排出されることとなる。フラットベッド部１の側面には、排出ローラ対２８によって排出された原稿を積載するための排紙積載トレイ２９が設けられている。
【００２７】
図２は、図１において説明した画像読取装置１００を、フラットベッド部１の原稿台ガラス１に対して自動給紙装置２を開放した状態とし、さらに図１中の矢印II方向に向かってみた側面図である。
【００２８】
同図２において、部材３０はフラットベッド部１に自動給紙装置２を回転可能に接続するためのヒンジであり、部材３１は原稿台ガラス３上に置いた原稿を原稿台ガラス３に押圧するための圧板である。このように、フラットベッド部１を自動給紙装置２に対して開放状態とすれば、原稿台ガラス３上の所定位置に原稿を載置することができる。こうした態様により、原稿台ガラス３上に載置固定された原稿上の画像を読み取るといった第１の光学キャリッジＡのみの機能を活用させ、各原稿の画像を片面ずつ読み取らせることもできる。
【００２９】
図３は、本参考例の画像読取装置１００において、原稿の画像読み取りを行うに際して周知のシェーディング補正を行うべく設けられた白基準板の構成を概略的に示す斜視図である。
【００３０】
同図３に示すように、フラットベッド部１の原稿台ガラス３と、原稿台ガラス３（図７を併せ参照）に対峙するよう自動給紙装置２の下面に設けられた他の原稿台ガラス４３とは、その間隙に、流し読み取りにおける原稿の搬送経路の一部を形成している。キャリッジＡの流し読み取り時に原稿の副走査方向の白基準として使用する白基準板４１は、原稿台ガラス３の両面のうち、原稿の搬送経路に向かう面とは反対の面に設けられている。また、キャリッジＢの流し読み取り時に原稿の副走査方向の白基準として使用する白基準板４２は、原稿台ガラス４３の両面のうち、原稿搬送とは反対の面に設けられている。
【００３１】
図４は、図１に示した画像読取装置１００であって、自動給紙装置２の一部を開放状態としたものを示す側面図である。こうした開放状態は、一般には自動給紙装置２の動作中にいわゆるジャムが発生した場合に、これを処理するためとられる形態である。ここで、部材３５はジャム処理レバー、部材３６はジャム状態にある原稿を取り除くときに開放するジャム開閉部である。
【００３２】
図５（ａ）には、自動給紙装置２の一部をなすキャリッジＢの側面図を示し、図５（ｂ）には、その一部をさらに拡大して示すものである。両図に示すように、自動給紙装置２に保持されたキャリッジＢは、原稿台ガラス３にキャリッジＢの枠体２６の一部（突起部）２６ａを直接突き当てる構成を有しているため、原稿台ガラス３に対する位置決めの精度が非常に高く、高さ方向の位置決めが確実且つ緻密に行われる。また、図８に示したように、原稿搬送ガイド２４はキャリッジＢに対して揺動可能に接続されているため、キャリッジＢに対して原稿を容易且つ確実に設定位置に案内する。また、同時に原稿搬送ガイド２４はその一部２４ａを原稿台ガラス３に直接突き当てているため、原稿の搬送位置と原稿搬送パスとが、相互間で正確且つ容易に位置決めされる。
【００３３】
上記構成において、以下にその動作を説明する。
【００３４】
［原稿固定読み取り方式］
フラットベッド部１での画像読取の場合には、自動給紙装置２を開放し原稿を原稿台ガラス３上に置き、原稿位置を原稿突き当て板１１に突き当てて原稿をセットする。
【００３５】
次に、自動給紙装置２を閉じることで、原稿は圧板３１によって原稿台ガラス３に押圧固定される。これによって原稿は、そのカール等が矯正されるとともに、原稿台ガラス３上に密着される。その後、操作者が不図示の操作盤に備えられた原稿読み取り開始ボタンを押すことにより、原稿の読み取りが開始される。
【００３６】
先ずはじめに、駆動モー夕６による動力の供給により駆動ベルト５が動作を開始し、これにともないキャリッジＡが所定のキャリッジホームポジション（初期位置）ヘ移動する。
【００３７】
次に主走査方向のイニシャル（初期化）を行うために、原稿突き当て板１１の裏側に設けられた白基準板ヘキャリッジＡを移動し白基準を読み取る。これによって、光源７とＣＣＤ９の補正を実施する。その後、キャリッジＡは所定の読み取り開始位置へ移動し、さらに読み取り開始位置から原稿読み取り位置まで移動しつつ所定の速度に達するまで加速される。キャリッジＡは所定の速度に達した後はその速度を保持しながら、原稿突き当て板１１に突き当てられた原稿の先端位置まで到達する。その後もキャリッジＡは、所定速度を保ちながら移動し、原稿を読み取って行く。原稿の全面を読み取った後、キャリッジＡは駆動モータ６の反転駆動により読み取り方向とは逆方向に反転して、所定の待機位置に戻る。
【００３８】
［原稿流し読み取り方式］
次に、流し読み取り方式の場合について説明する。流し読み取りの場合には、原稿を自動給紙装置２の原稿積載トレイ１３上に積載する。自動給紙装置２は原稿が原稿積載部１３上に置かれたことを原稿長さ検知センサー１４と原稿有無センサー１５により知ることができる。また、操作者が原稿サイド規制板１２により原稿の幅を設定したことによって、原稿長さ検知センサー１４との検知の組み合わせによって、原稿のサイズを知ることができる。上述の状態にて、操作者が不図示の原稿読み取り開始ボタンを押すと、原稿先端を規制していた原稿シャッター１７が開放され、ウェイト１６と給紙ピックアップローラ１８によって、原稿の分離部へ原稿束を搬送する。次に原稿は分離ベルト１９と給紙ローラ２０により一枚づつ分離給送される。原稿の先端がレジストローラ対２２に到達し、レジ前センサー２１によって所定のループを形成した後、給紙ローラ２０の回転を停止する。所定のタイミングの後に、レジストローラ対２２が回転を開始し、原稿を搬送する。搬送された原稿の先端は、原稿先端検知センサー２３によって検知され、原稿が原稿読み取り位置に到達する時間を決定する。原稿は、原稿搬送上ガイド２４によって第一の原稿読み取りポイント２５に案内される。上記の原稿の搬送と同時に原稿読み取りのキャリッジＡ・Ｂそれぞれで、下記のイニシャル動作が行われる。キャリッジＡは、原稿が自動給紙装置２で読み込まれると指定をされ、操作者が原稿読み取り開始ボタンを押した後、原稿が原稿読み取りポイント２５に達する前にシェーデイング補正を行う。
【００３９】
次に、具体的なキャリッジＡの動作を説明する。
【００４０】
キャリッジＡは、ランプ７を点灯し、自基準４１を読み取り白基準の補正（周知のシェーデイング補正）を行う。その後、原稿の到達を待つ。また、キャリッジＢもキャリッジＡと同様に、原稿が第二の読み取りポイント２７に到達する前に次のシェーディング動作を終了する。キャリッジＢ内の光源が点灯し、第二の読み取りポイント２７の対向する位置に設けられた白基準板４２の白基準を読み取り白基準の補正を行う。
【００４１】
上記で説明したシェーディング処理を実施した後、原稿は第一の読み取りポイント２５に到達し、原稿が所定の搬送スピードで搬送されながら、原稿の片面を順次画像が読み取られて行く。また、原稿が第二の読み取りポイント２７に到達し、これも所定のスピードで搬送されながら、キャリッジＢの読み取り部にて原稿の他面の画像が順次読み取られて行く。原稿の先端は、第二の読み取りポイント２７を通過した後、排紙ローラ対２８によって搬送され、原稿の全ての画像を読み取ったあとは排紙積載トレイ２９上に原稿を排出する。
【００４２】
以上が、両キャリッジＡ、Ｂによる原稿の両面読み取りにかかる一連の動作態様である。
【００４３】
図４は、自動給紙装置２の側面図であり、とくに、自動給紙装置２において原稿のジャムが発生した場合に同装置２をどのように動作させてこれを処理するのかを示すものである。
【００４４】
自動給紙装置２での原稿ジャムが発生したときには、原稿搬送路上に配置されたレジスト前センサー２１と、原稿先端検知レバー２３により原稿のジャムを検知する。原稿のジャムを検知すると自動給紙装置２の原稿搬送は停止され、原稿がジャムしたことを操作者に知らせる。操作者は、ジャム処理レバー３５を操作し、自動給紙装置２のジャム処理開閉部３６を先の図４において示した態様で開放する。この状態で、ジャムした原稿を用意に取り除くことができる。このとき、ジャム処理開放部３６を開放することによってキャリッジＢも同時に所定の回転中心で向転し開放される。
【００４５】
操作者がジャム処理を行った後は、ジャム処理開放部３６を閉じるが、この時キャリッジＢの一部２６ａが原稿台ガラス３に突き当たりキャリッジＢの高さが正確に位置決めされる。また同時に、原稿搬送ガイド２４の一部が原稿台ガラス３に突き当たり、前述したように原稿の搬送パスを確実に確保できる。
【００４６】
図５（ａ）は、図４で説明した自動給紙装置２のジャム処理開閉部３６を、フラットベッド部１との連結部位周辺と、原稿台ガラス３への当接部位周辺とを含めて概略的に示す側断面図である。また、図５（ｂ）は、特にジャム処理開閉部３６の原稿台ガラス３への当接部位周辺を拡大して示す側断面図である。
【００４７】
図５（ａ）に示すように、ジャム処理開閉部３６と自動給紙装置２とは、互いに共有する軸線６０（回転軸部）を中心として相対回転自在に構成されており、ジャム処理開閉部３６の一部、詳しくは原稿搬送ガイド２４の一部である突起部２４ａ、２６ａが原稿台ガラス３に対して自在に当接（突き当て）・離間される。
【００４８】
ここで、ジャム処理開閉部３６（キャリッジＢ）は、フラットベッド部１に対して相対回転自在な自動給紙装置２に対し、同自動給紙装置２に設けられた回転軸６０が、ジャム処理開閉部３６に設けらた回転支持部６２に支持されることで相対回転自在に構成されていることとなる。
【００４９】
すなわち、キャリッジＢを直接固定しているジャム処理開閉部３６が、２点の回転支持部６２を介し、キャリッジＡを内蔵するフラットベッド部１に対して揺動自在となっている。
【００５０】
本参考例における構成によれば、キャリッジＢを直接固定しているジャム処理開閉部３６が、フラットベッド部１に対して揺動自在に動作し、且つキャリッジＢの原稿搬送ガイド２４の一部として設けられた突起部２４ａ、２６ａが、直接原稿台ガラス３に対して当接（突き当て）されることで、原稿台ガラス３、ひいてはその背面に設けられたキャリッジＡ（図１参照）に対するキャリッジＢの位置決めを正確に行うことができるようになる。
【００５１】
すなわち、以上説明した本参考例の画像読取装置によれば、以下の効果が奏せられるようになる。
【００５２】
（１）原稿を流し読みで読み取る場合の基準原稿台ガラス側に、原稿を挟んだ反対面側の画像を読み取る光学キャリッジを、基準原稿台ガラスに一部突き当て可能で揺動可能に構成し、２つの光学キャリッジＡ、Ｂの位置決め関係を、基準原稿台ガラス３で行うようにすることで、両光学キャリッジＡ、Ｂ相互間の位置決めを正確に行うことができるようになる。
【００５３】
（２）揺動可能な光学キャリッジＢを基準原稿台ガラスに突き当てる構成であるため、光学キャリッジ自体の精度を確保することだけで、光学キャリッジの高精度な位置決めを行うことが可能となる。
【００５４】
（３）揺動可能な光学キャリッジＢ（ジャム処理開閉部）３６に対して、さらに揺動可能に接続された原稿搬送ガイドを有し、前記原稿搬送ガイドの一部を基準原稿台ガラスに突き当てるように構成することで、原稿の搬送パスを安定的に確保できるようになる。
【００５５】
（実施の形態）
次に、本発明の実施の形態について、先の参考例と異なる点を中心に説明する。
【００５６】
実施の形態は、先の参考例とほぼ同一の基本構成及び機能を備えた画像読取装置に関し、ジャム処理開閉部３６（キャリッジＢ）と自動給紙装置２との連結部位において、参考例とは異なる点を有するものである。そこで、その構成、機能、及び動作態様について、参考例と共通する構成部材について、ここでの重複する説明は省略する。
【００５７】
図６は、本実施の形態の画像読取装置に設けられた自動給紙装置と、ジャム処理開閉部（キャリッジＢ）との連結態様を示す側面図である。また、図９は本実施の形態の要部を表す斜視図である。
【００５８】
図６及び図９に示すように、自動給紙装置２本体に設けられた回転軸６０は、先の参考例における回転軸６０同様、ジャム処理開閉部３６と自動給紙装置２本体とに共有される回転中心である。
【００５９】
ただし、本実施の形態では、ジャム処理開閉部３６は、その回転支持部としてＵ形状の溝を有するフック部６１ａを備えている。そして、このフック部６１ａが回転軸６０を引っ掛けることにより、ジャム処理開閉部３６及び自動給紙装置２が互いに係合し、相対回転自在となっている点で、参考例とは異なる。なお、回転支持部６１ｂの形状は先の参考例と同じように丸穴を有する。
【００６０】
このように、ジャム処理開閉部３６及び自動給紙装置２の連結部位の１ヶ所において、回転軸６０の外周全体を覆うような構成を適用せずに、同回転軸６０をＵ形状の溝を有するフック部６１と一部のみ係合させることで、両部材３６、２間での相対回転動作や当接の際の動作の自由度が増す。
【００６１】
とくに、本実施の形態においては、ジャム処理部３６（キャリッジＢ）が原稿台ガラス３上に突き当たっている状態では軸６０と回転支持部６１ａとは接触しないように構成されている。
【００６２】
なお、本実施の形態においても、ジャム処理開閉部３６の一部分、詳しくは原稿搬送ガイド２４の一部である突起部２４ａ、２６ａが原稿台ガラス３に対して自在に当接（突き当て）・離間される。そして、原稿台ガラスに対する当接位置は、原稿Ｐ搬送領域の長手方向の両外側とすることで、原稿の通過も妨げない。
【００６３】
すなわち、本実施の形態によれば、上記参考例による効果に加え、突起部２４ａ、２６ａが原稿台ガラス３に対して当接（突き当て）される際、原稿台ガラス３、ひいてはその背面に設けられたキャリッジＡ（図１参照）に対するキャリッジＢの位置決め動作が柔軟となり、こうした位置決めを一層正確に行うことができるようになる。
【００６４】
【発明の効果】
以上説明したように、本発明によれば、
（１）原稿を流し読みで読み取る場合の基準原稿台ガラス側に、原稿を挟んだ反対面側の画像を読み取る光学キャリッジを、基準原稿台ガラスに一部突き当て可能で揺動可能に構成し、２つの光学キャリッジの位置決め関係を、基準原稿台ガラスで行うようにすることにより、
（２）揺動可能な光学キャリッジを基準原稿台ガラスに突き当てる構成であるため、光学キャリッジ自体の制度を確保することだけで、光学キャリッジの高精度な位置決めを行うことが可能となる。
よって、
（３）揺動可能な光学キャリッジに対して、揺動可能に接続された原稿搬送ガイドを有し、前記原稿搬送ガイドの一部を基準原稿台ガラスに突き当てるように構成することで、原稿の搬送パスを安定的に確保できる。
【図面の簡単な説明】
【図１】本発明の参考例に係る画像読取装置の構造を概略的に示す側断面図。
【図２】同参考例の画像読取装置にあって、フラットベッド部の原稿台ガラスに対して自動給紙装置を開放した状態を示す側面図。
【図３】同参考例の画像読取装置にあって、シェーディング補正を行うべく設けられた白基準板の構成を概略的に示す斜視図。
【図４】同参考例に係る自動給紙装置がジャム処理をするために開放動作された状態を示す側面図。
【図５】同参考例に係る自動給紙装置と、ジャム処理開閉部との連結態様を示す側面図。
【図６】本発明の実施の形態にかかる自動給紙装置と、ジャム処理開閉部との連結態様を示す側面図。
【図７】参考例の画像読取部近傍の拡大側断面図。
【図８】同参考例における原稿搬送ガイドの説明図。
【図９】実施の形態における要部を表す斜視図。
【符号の説明】
１ フラットベッド部
２ 自動給紙装置（保持手段）
３ 原稿台ガラス（透光性板材）
４ キャリッジＡ（第２の画像読取手段）
２４ 原稿搬送ガイド
２６ キャリッジＢ（第１の画像読取手段）
２９ 排紙積載トレイ
【図１】
0004521914.tif 000002
【図２】
0004521914.tif 000003
【図３】
0004521914.tif 000004
【図４】
0004521914.tif 000005
【図５】
0004521914.tif 000006
【図６】
0004521914.tif 000007
【図７】
0004521914.tif 000008
【図８】
0004521914.tif 000009
【図９】
0004521914.tif 000010